(57)【要約】【課題】蹴込板１０を装飾材１３で立ち姿勢の人間の目にはねじが見えない状態で装飾する。【解決手段】装飾材１３は、蹴込板１０に当接する垂直本体部１４と、この垂直本体部１４の下端に連設された係合フック１５と、垂直本体部１４の上端に前方突出状に連設された、少なくとも２つの上下方向に貫通するねじ挿通孔１７を有する上部水平部１６とを有しており、前記係合フック１５は、後方に突出する下部水平部１５ａと、下部水平部１５ａの後端に連設された上向き係合部１５ｂとを有している。蹴込板１０の下部の被係合部２０に係合フック１５を係合させた後、上部水平部１６のねじ挿通孔１７を通じてねじ２３を底板３にねじ嵌めることにより、装飾材１３が蹴込板１０に取り付けられている。【選択図】  図２
2004181108.tif 000002
【特許請求の範囲】
【請求項１】
蹴込板に装飾材が取り付け可能となされた収納庫であって、前記装飾材は、蹴込板に当接する垂直本体部と、この垂直本体部の下端に連設された、後方に突出する下部水平部及び下部水平部の後端に連設された上向き係合部を備えた係合フックと、垂直本体部の上端に前方突出状に連設された、少なくとも２つの上下方向に貫通するねじ挿通孔を有する上部水平部とを有しており、前記蹴込板の下部の少なくとも一部が、前記係合フックの下部水平部が嵌まる前後方向に貫通する空隙を有する被係合部となされている収納庫。
【請求項２】
収納庫と、収納庫の蹴込板を装飾する装飾材とを有し、前記装飾材は、蹴込板に当接する垂直本体部と、この垂直本体部の下端に連設された係合フックと、垂直本体部の上端に前方突出状に連設された、少なくとも２つの上下方向に貫通するねじ挿通孔を有する上部水平部とを有しており、前記係合フックは、後方に突出する下部水平部と、下部水平部の後端に連設された上向き係合部とを有しており、前記蹴込板の下部の少なくとも一部が、前記係合フックの下部水平部が嵌まる前後方向に貫通する空隙を有する被係合部となされ、前記被係合部に係合フックを係合させた後、上部水平部のねじ挿通孔を通じてねじを収納庫の底板にねじ嵌めることにより、装飾材が蹴込板を覆うようにして蹴込板に取り付けられている収納庫。
【発明の詳細な説明】
【０００１】
【発明の属する技術分野】
本発明は、厨房キャビネット、衣服収納庫等の収納庫に関する。
【０００２】
【従来の技術】
従来、この種の収納庫として以下の如きものは知られている。
収納庫と、収納庫の蹴込板を装飾する、単なる平板の装飾材とを有し、前記装飾材がねじで蹴込板に取り付けられるようになされたものは知られている（参考文献：実開昭５９−１３４，４３３号公報）。
【０００３】
【従来技術の欠点】
前記従来の収納庫には以下の如き欠点があった。
ねじで装飾材を蹴込板に固定するものであったため、ねじが目に付き意匠的に問題があるという欠点があった。
【０００４】
【前記欠点を解消するための手段】
本発明は前記欠点を解消するために以下の如き手段を採用した。
▲１▼請求項１の発明は、蹴込板に装飾材が取り付け可能となされた収納庫であって、前記装飾材は、蹴込板に当接する垂直本体部と、この垂直本体部の下端に連設された、後方に突出する下部水平部及び下部水平部の後端に連設された上向き係合部を備えた係合フックと、垂直本体部の上端に前方突出状に連設された、少なくとも２つの上下方向に貫通するねじ挿通孔を有する上部水平部とを有しており、前記蹴込板の下部の少なくとも一部が、前記係合フックの下部水平部が嵌まる前後方向に貫通する空隙を有する被係合部となされているものである。
▲２▼請求項２の発明は、収納庫と、収納庫の蹴込板を装飾する装飾材とを有し、前記装飾材は、蹴込板に当接する垂直本体部と、この垂直本体部の下端に連設された係合フックと、垂直本体部の上端に前方突出状に連設された、少なくとも２つの上下方向に貫通するねじ挿通孔を有する上部水平部とを有しており、前記係合フックは、後方に突出する下部水平部と、下部水平部の後端に連設された上向き係合部とを有しており、前記蹴込板の下部の少なくとも一部が、前記係合フックの下部水平部が嵌まる前後方向に貫通する空隙を有する被係合部となされ、前記被係合部に係合フックを係合させた後、上部水平部のねじ挿通孔を通じてねじを収納庫の底板にねじ嵌めることにより、装飾材が蹴込板を覆うようにして蹴込板に取り付けられているものである。
【０００５】
【発明の効果】
本発明は前記した如き構成によって以下の如き効果を奏する。
▲１▼請求項１の発明によれば、被係合部に係合フックを係合させた後、上部水平部のねじ挿通孔を通じてねじを収納庫の底板にねじ嵌めることにより、装飾材で簡単に且つ立ち姿勢の人間の目にはねじが見えない状態で蹴込板を装飾することが出来る。
▲２▼請求項２の発明によれば、蹴込板を装飾材で、簡単に且つ立ち姿勢の人間の目にはねじが見えない状態で装飾することが出来る。
【０００６】
【発明の実施の形態】
以下に本発明の実施の形態を説明する。
なお、この説明において、前とは図１紙面表側を、後とは同裏側をいい、左とは図１左側を、右とは同図右側をいう。
【０００７】
流し台からなる収納庫１は、左右の側板２（左右幅が「Ｈ」）、底板３、水槽５を有する天板６及び扉７を有している。
【０００８】
前記側板２の前部の、底板３より下の部分は後方に後退しており、側板２の前部下部に蹴込板１０が渡し止められている。前記蹴込板１０の左右方向の長さは「Ｌ」である。そして、蹴込板１０の上部と底板３の前部とにより入隅１１が形成されている。
【０００９】
前記蹴込板１０は、後述する手段により蹴込板１０に取り付けられた装飾材１３（左右長さが「Ｌ」）により装飾されている。
【００１０】
前記装飾材１３は、蹴込板１０に当接する垂直本体部１４と、この垂直本体部１４の下端に連設された係合フック１５と、垂直本体部１４の上端に前方突出状に連設された、少なくとも２つの上下方向に貫通するねじ挿通孔１７を有する上部水平部１６とを有している。前記係合フック１５は、後方に突出する下部水平部１５ａと、下部水平部１５ａの後端に連設された上向き係合部１５ｂとを有している。
【００１１】
前記蹴込板１０の下部の少なくとも一部、本実施の形態では全部が、前記係合フック１５の下部水平部１５ａが嵌まる前後方向に貫通する空隙１９を有する被係合部２０となされている。前記空隙１９とは収納庫１を床面に設置した際、被係合部２０と床面との間に形成される空間をいう。被係合部２０の後面には、左右方向全体にわたって切り欠き２１が形成されている。この切り欠き２１は、被係合部２０に係合した上向き係合部１５ｂの、側板２に対向する部分が、側板２の前面と衝突・干渉しないようにするためのものである。従って、上向き係合部１５ｂの、側板２と対向する部分を切除すれば、切り欠き２１はなくてもよい。
【００１２】
前記装飾材１３は以下のようにして蹴込板１０に取り付けられる。
被係合部２０に係合フック１５を係合させた後、底板３の下面に当接した上部水平部１６のねじ挿通孔１７を通じてねじ２３を底板３にねじ嵌めることにより、装飾材１３は蹴込板１０を覆うようにして蹴込板１０に取り付けられる。
【００１３】
工場出荷時に所定の意匠の装飾材１３を取り付けておいてもよいし、工場出荷時には装飾材１３を取り付けずにおいて、設置現場に設置した後（所定年数経過後）に装飾材１３を取り付けるようにしてもよい。本実施の形態では、設置現場に設置した後に装飾材１３を取り付けることが可能なように（建物の床が邪魔になることなく、装飾材１３の取り付けが出来るように）、即ち、上向き係合部１５ｂが空隙１９を通じて蹴込板１０の後部に回り込み得るように、前記装飾材１３は、変形容易な、弾性を有する金属製・合成樹脂製となされている。また、本実施の形態では、上向き係合部１５ｂが空隙１９を通じて蹴込板１０の後部に回り込みやすくするため、空隙１９の高さが下部水平部１５ａの厚みより大きくなされている。
施工現場に設置した後に装飾材１３を取り付けることを考慮に入れなければ、装飾材１３は弾性を有しないものであってもよい。
【００１４】
【変形例等】
以下に変形例等について説明を加える。
（１）蹴込板１０の下部に下方及び左右方向に開放した溝を形成し、この溝に上向き係合部１５ｂを嵌めるようにしてもよい。
（２）係合フック１５は実施の形態では垂直本体部１４の左右方向全体にわたって形成されているが、係合フック１５を左右幅の狭いものとして垂直本体部１４に所要個だけ形成するようにしてもよい。なお、このようにした場合、係合フック１５に対向しない蹴込板１０の部分には被係合部２０はなくてもよい。
（３）特許請求の範囲におけるねじには、釘・ボルトが含まれる。
（４）収納庫は衣服等の収納庫であってもよい。
【図面の簡単な説明】
【図１】本発明の実施の形態を示す中間省略の正面図である。
【図２】図１のＩＩ−ＩＩ線に沿う一部破砕の拡大矢視図である。
【符号の説明】
１  収納庫
１０  蹴込板
１３  装飾材
１４  垂直本体部
１５  係合フック
１５ａ  下部水平部
１５ｂ  上向き係合部
１６  上部水平部
１７  ねじ挿通孔
１９  空隙
２０  被係合部
【図１】
2004181108.tif 000003
【図２】
2004181108.tif 000004